(57)【特許請求の範囲】
【請求項１】
２つの主面と側面とを有する第１の平板と、
前記第１の平板の一方の端部から前記主面の平面方向に突出して設けられたフックと、
前記フックの先端に前記フックの突出方向とは異なる前記平面方向に突出して設けられた係合部と、
前記第１の平板の他方の端部から前記主面と交差する方向にのびた第２の主面を有する第２の平板と、
前記第２の平板の前記第１の平板とは反対側の端部から前記第２の主面の平面方向に突出して設けられたリブと
を有するカバー。
【請求項２】
前記第１の平板の端部に前記フックが２つ設けられている請求項１に記載のカバー。
【請求項３】
前記フックの前記係合部が互いに逆向きに突出している請求項２に記載のカバー。
【請求項４】
前記第２の平板の端部に付加フックを有する請求項１に記載のカバー。
【請求項５】
請求項１から４のいずれかに記載のカバーと前記カバーを装着するケースとを備える筐体。
【請求項６】
前記フックの突出方向と前記係合部の突出方向とを含む平面が、前記ケースの天面もしくは側壁と対向するように前記カバーが前記ケースに装着され、前記リブが前記ケースに引っ掛かり、前記ケースは前記係合部と係合するフック受けを有している請求項５に記載の筐体。
【請求項７】
前記カバーは前記リブを前記ケースに引っ掛けることで形成される回転中心線を中心に回転可能にされ、前記フックは前記カバーの前記回転中心線と離間した端部に設けられている請求項６に記載の筐体。
【請求項８】
前記ケースは前記フックと嵌合する凹みを有し、前記フック受けが前記凹みの端部に形成されている請求項６又は７に記載の筐体。
【請求項９】
前記ケースは前記カバーの前記付加フックと嵌合する付加フック受けを有する請求項５から８のいずれかに記載の筐体。
【請求項１０】
前記ケースは開口部を有し、前記開口部上に前記カバーが配置されている請求項５から９のいずれかに記載の筐体。
【請求項１１】
前記ケースは前記開口部の周囲の少なくとも一部にフランジを有し、前記フランジ上に前記カバーが配置されている請求項１０に記載の筐体。
【請求項１２】
前記フランジの前記付加フック受けが挿入される部分には切り欠きが形成されている請求項１１に記載の筐体。
【請求項１３】
前記ケースと前記カバーとが可撓性材料によって接続されている請求項５から１２のいずれかに記載の筐体。
【発明の詳細な説明】
【技術分野】
【０００１】
本発明は、電子機器等に用い得るカバー、及びそのカバーを用いた筺体に関する。
【背景技術】
【０００２】
デジタルカメラ又は携帯音楽再生装置等の電子機器には、メモリカードが使用されている。最近では、携帯電話においてもメモリカードが使用されることがある。メモリカードを使用可能にするために、電子機器の内部にメモリカードコネクタが設置されている。メモリカードコネクタは、保護カバーにより覆われている。メモリカードコネクタに対しメモリカードを挿抜する時には、保護カバーが開けられる。
【０００３】
この種の保護カバーを備えた電子機器は、例えば特許文献１に開示されている。図１を参照して、その電子機器の概要を説明する。
【０００４】
電子機器は、上ケース１と下ケース２と保護カバー５とを含んでいる。上ケース１と下ケース２との間の空間には、パネル３が備えられ、パネル３上には、メモリカードコネクタ（図示せず）が実装されている。メモリカード（図示せず）は、メモリカードコネクタに対して挿抜可能である。
【０００５】
保護カバー５は、平面視が長方形状で、断面が略Ｌ字形状を有している。保護カバー５の長辺端の両側には、差し込みリブ５１が設けられ、短辺端の両側付近には、略Ｌ字形状のフック５４が設けられている。
【０００６】
上ケース１の一長辺の内側には、保護カバー５の両フック５４に対応して、それぞれフック受け１４が設けられている。両フック５４と下ケース２の内側上端部との間には、スペースＳが形成されている。
【０００７】
保護カバー５を開く場合には、次のように操作する。まず、保護カバー５の図１における右側面に設けられている凹部（図示せず）を手指により引き上げると、両フック５４は上ケース１の両フック１４からそれぞれ離脱してスペースＳの範囲内で左方向に弾性変形する。続いて、保護カバー５は、両差し込みリブ５１を中心として矢印方向に回転する。したがって、保護カバー５が開放されるので、パネル３上のメモリカードコネクタに対してメモリカードを挿入抜出することができる。
【先行技術文献】
【特許文献】
【０００８】
【特許文献１】特開２００３−２１８５４９号公報
【発明の概要】
【発明が解決しようとする課題】
【０００９】
上述した電子機器では、保護カバー５の両フック５４が弾性変形する方向は、保護カバー５の回転中心線（両差し込みリブ５１を結ぶ直線）に直交しているので、触手などにより保護カバー５が上ケース１から不用意に開き易い。
【００１０】
保護カバー５が上ケース１から不用意に開くことを防止するためには、保護カバー５の両フック５４と上ケース１の両フック１４とがかみ合う深さを深くせざるを得ない。その場合は、図７におけるスペースＳを大きくする必要が生じ、上ケース１と下ケース２の図７における左右方向の寸法が長くなり、電子機器が大型化する。
【００１１】
それ故に本発明の目的は、不用意に開くことを防止でき、しかも、電子機器の小型化を図れるカバーを提供することにある。
【００１２】
本発明の他の目的は、上記カバーを用いた筐体を提供することにある。
【課題を解決するための手段】
【００１３】
本発明の一態様によるカバーは、２つの主面と側面とを有する第１の平板と、前記第１の平板の一方の端部から前記主面の平面方向に突出して設けられたフックと、前記フックの先端に前記フックの突出方向とは異なる前記平面方向に突出して設けられた係合部と、前記第１の平板の他方の端部から前記主面と交差する方向にのびた第２の主面を有する第２の平板と、前記第２の平板の前記第１の平板とは反対側の端部から前記第２の主面の平面方向に突出して設けられたリブとを有する。
【００１４】
本発明の他の態様による筺体は、前記カバーとそのカバーを装着するケースとを備える。
【発明の効果】
【００１５】
本発明によれば、不用意に開くことを防止でき、しかも、電子機器の小型化を図れるカバー、及び上記カバーを用いた筐体を提供することができる。
【図面の簡単な説明】
【００１６】
【図１】従来の電子機器の要部の断面図。
【図２】本発明の第１の実施例に係る筺体を備えた電子機器の斜視図。
【図３】同筺体から保護カバーが外された状態をメモリカードと共に示す斜視図。
【図４】同筺体をメモリカードと共に示す分解斜視図。
【図５】図２の線Ｖ―Ｖに沿って得られた断面図。
【図６】図２の線ＶＩ−ＶＩに沿って得られた断面図。
【図７】本発明の第２の実施例に係る筺体をメモリカードと共に示す分解斜視図。
【図８】本発明の第３の実施例に係る筺体から保護カバーが外された状態をメモリカードと共に示す斜視図。
【図９】図８の筺体の保護カバーが開かれた状態を示す概略側面図。
【図１０】図８の筺体の保護カバーが閉じられた状態を示す概略下面図。
【発明を実施するための形態】
【００１７】
図２〜図６を参照して、本発明の第１の実施例に係る筺体を備えた電子機器について説明する。
【００１８】
図２〜図６において、電子機器は、上ケース１とこれに結合される下ケース２とからなるケースを含んでいる。上ケース１には保護カバー５が設けられている。ケースの内部には、上ケース１と下ケース２との間に、回路板又はパネル３が備えられている。上ケース１、下ケース２、パネル３、及び保護カバー５の組み合わせを、ここでは電子機器用筐体と呼ぶ。
【００１９】
パネル３の上面には、部品接続部としてメモリカードコネクタ３１が実装されている。メモリカード４は、メモリカードコネクタ３１に対して挿抜可能である。なお、ケースの内部にはメモリカード４に加えて、パネル３の利用などを伴って携帯電話又はデジタルカメラ又は携帯音楽再生装置のための内部機構（図示省略）が備えられる。
【００２０】
保護カバー５の平面視は、第１の方向（左右方向）Ａ１及びこれに直交する第２の方向（前後方向）Ａ２に広がった長方形状を有している。保護カバー５の第１の方向Ａに垂直な平面での断面は略Ｌ字形状をなしている。保護カバー５は、第２の方向Ａ２における端部即ち後端に、第１の方向Ａ１で互いに離間した対の差し込みリブ５１を有している。また、保護カバー５はその前端に、第１の方向Ａ１で互いに離間した対のフック５２を有している。図５から明らかなように、フック５２はいずれも、第１の方向Ａ１で外向き形成されている。なお、保護カバー５の前端中央には、凹部５３が設けられている。
【００２１】
上ケース１は、保護カバー５と実質的に合同な形状をもつカバー受け穴１２を規定する縁部１ａを有している。カバー受け穴１２は上ケース１の上面から前面にかけて広がっている。縁部１ａの後辺には、フランジ１３が設けられている。保護カバー５はカバー受け穴１２に嵌合するように装着される。このとき保護カバー５はフランジ１３に支えられ、カバー受け穴１２を通してケース内に落下することが防止される。
【００２２】
上ケース１の縁部１ａの前辺には、第１の方向Ａ１で互いに離間したフック穴１１がフック５２と一対一で対応して形成されている。フック穴１１の奥部にはフック受け１１ａが設けられている。フック受け１１ａはいずれも、フック５２と係合し得るように、第１の方向Ａ１で内向きに形成されている。
【００２３】
図３の状態にあるメモリカード４をメモリカードコネクタ３１に挿入する。次に、保護カバー５の両差し込みリブ５１を上ケース１の縁部１ａの後部内面に引っ掛ける。続いて、保護カバー５を両差し込みリブ５１を中心として、約９０度右回転させて図２の位置を目指して保護カバー５を閉じる。この際、両差し込みリブ５１を結ぶ直線が、保護カバー５の回転中心線となる。したがって、この回転中心線は第１の方向Ａ１にのびていることになる。
【００２４】
保護カバー５が閉じられると、保護カバー５の両フック５２が上ケース１の両フック穴１１に挿入される。最終的には、図５及び図６に示すように、保護カバー５の両フック５２が第１の方向Ａ１で内側に少し撓みつつ凸部１１ｂを乗り越えてフック受け１１ａに係合する。かくして、図２に示されるように、保護カバー５は閉じられた状態で上ケース１にしっかりと保持される。
【００２５】
図２の状態から保護カバー５を開く場合には、次のように操作する。保護カバー５の凹部５３に手指を掛けて引き上げる。すると、保護カバー５の両フック５２が上ケース１の両フック受け１１ａからそれぞれ離脱する。したがって、保護カバー５を容易に開くことができる。
【００２６】
図７を参照して、本発明の第２の実施例に係る筺体を備えた電子機器について説明する。同様な部分については同じ参照符号を付して説明を省略する。
【００２７】
図７に示す上ケース１は、図２〜図６に示した電子機器のフック穴１１及びフック受け１１ａに相当するものを備えていない。その代わりに、下ケース２の前面に第１の方向Ａ１で離間した対のフック溝２１とその外側で前方に突出したフック受け２１ａとが形成されている。勿論、フック溝２１とフック受け２１の各セットは、保護カバー５のフック５２に対応するように配置されている。
【００２８】
この電子機器において、保護カバー５が閉じられると、保護カバー５の両フック５２が下ケース２の両フック溝２１に挿入され、保護カバー５の両フック５２が第１の方向Ａ１で内側に少し撓むことを伴ってフック受け２１ａに上下方向で係合する。かくして、保護カバー５は閉じられた状態でケースにしっかりと保持される。なお、保護カバー５を開く作業は図２〜図６に示した電子機器と同様に行われる。
【００２９】
図７の電子機器によると、上ケース１のカバー受け穴１２の構造が簡素化される。さらに、上ケース１を製造する際に使用する金型を簡略化できる。
【００３０】
図３又は図７に示す電子機器では保護カバー５を上ケース１から完全に分離することができるが、使い勝手をよくするために保護カバー５を上ケース１にゴム部品などで緩やかに接続されてもよい。
【００３１】
図８〜図１０を参照して、本発明の第３の実施例に係る筺体を備えた電子機器について説明する。同様な部分については同じ参照符号を付して説明を省略する。
【００３２】
図８〜図１０に示す電子機器では、保護カバー５を上ケース１に可撓性を有するゴムからなる接続部材６を介して接続している。したがって、この場合には、保護カバー５は開閉可能なカバーであるといえる。
【００３３】
上ケース１はその下面に形成された抜け止め部１３を有している。保護カバー５はその下面に形成された突起５４を有している。接続部材６は一般的にＵ字形状を有し、保護カバー５の突起５４に固定された固定部６１と、固定部６１から互いに平行にのびた対の脚部６２とを含んでいる。各脚部６２は、上ケース１の抜け止め部１３に第１の方向Ａ２で係合する係合部６３を有している。こうして、上ケース１に対する保護カバー５の離脱が防止されている。保護カバー５が上ケース１に正常に装着されている状態では、係合部６３は抜け止め部１３から離間していることが好ましい。
【００３４】
フック５２を上ケース１から外し、保護カバー５を第２の方向Ａ２で前方へ少し移動させつつ、第１の方向Ａ１及び第２の方向Ａ２に直交する第３の方向（垂直方向）Ａ３に沿うように起こすことで、保護カバー５を容易に開くことができる。なお、保護カバー５を閉じる作業は図２〜図６に示した電子機器と同様に行われる。
【００３５】
図８〜図１０に示す電子機器によると、保護カバー５は上ケース１に対し比較的自由な状態で接続されて離脱が防止されているので、保護カバー５の開け閉めに際し使い勝手がよい。
【００３６】
なお、上述した電子機器はいずれも、フックとフック受けとの組み合わせを２セット備えているが、１セットのみ備える形態に変更することができる。また、上述ではメモリカードを使用する場合を説明したが、メモリカードに限らず、SIMカードや、交換可能な電池を使用する場合にも同様に適用可能である。SIMカードを使用する場合は、部品接続部としてSIMカードコネクタが用いられる。交換可能な電池を使用する場合は、部品接続部として電池を接続するための接点が用いられる。
【００３７】
上記の実施形態の一部又は全部は、以下の付記のようにも記載されうるが、以下には限られない。
【００３８】
（付記１）２つの主面と側面とを有する第１の平板と、前記第１の平板の端部から前記主面の平面方向に突出して設けられたフックと、前記フックの先端に前記フックの突出方向とは異なる前記平面方向に突出して設けられた係合部とを有するカバー。
【００３９】
（付記２）前記第１の平板の端部に前記フックが２つ設けられている付記１に記載のカバー。
【００４０】
（付記３）前記フックの前記係合部が互いに逆向きに突出している付記２に記載のカバー。
【００４１】
（付記４）前記第１の平板の一方の端部には前記フックが形成され、他方の端部には第２の平板を有する付記１から３のいずれかに記載のカバー。
【００４２】
（付記５）前記第２の平板の端部に付加フックを有する付記４に記載のカバー。
【００４３】
（付記６）付記１から５のいずれかに記載のカバーと前記カバーを装着するケースとを備える筐体。
【００４４】
（付記７）前記フックの突出方向と前記係合部の突出方向とを含む平面が、前記ケースの天面もしくは側壁と対向するように前記カバーが前記ケースに装着され、前記ケースは前記係合部と係合するフック受けを有している付記６に記載の筐体。
【００４５】
（付記８）前記ケースは前記フックと嵌合する凹みを有し、前記フック受けが前記凹みの端部に形成されている付記７に記載の筐体。
【００４６】
（付記９）前記ケースは前記カバーの前記付加フックと嵌合する付加フック受けを有する付記６から８のいずれかに記載の筐体。
【００４７】
（付記１０）前記ケースは開口部を有し、前記開口部上に前記カバーが配置されている付記６から９のいずれかに記載の筐体。
【００４８】
（付記１１）前記ケースは前記開口部の周囲の少なくとも一部にフランジを有し、前記フランジ上に前記カバーが配置されている付記１０に記載の筐体。
【００４９】
（付記１２）前記フランジの前記付加フック受けが挿入される部分には切り欠きが形成されている付記１１に記載の筐体。
【００５０】
（付記１３）前記ケースと前記カバーとが可撓性材料によって接続されている付記６から１２のいずれかに記載の筐体。
【産業上の利用可能性】
【００５１】
メモリカード、SIMカード、交換可能な電池の容易な着脱を実現するためには、ばねを利用した複雑なロック機構を用いる場合が多いが、本発明を利用することで、これらの機構が不要になり、電子機器の信頼性を安価な代替手段で実現することができる。
【符号の説明】
【００５２】
１  上ケース
１ａ  縁部
２  下ケース
３  パネル
４  メモリーカード
５  保護カバー
６  接続部材
１１  フック穴
１１ａ  フック受け
１１ｂ  凸部
１２  カバー受け穴
１３  フランジ又は抜け止め部
１４  フック
２１  フック溝
２１ａ  フック受け
３１  メモリーカードコネクタ
５１  差し込みリブ
５２  フック
５３  凹部
５４  突起
６１  固定部
６２  脚部
６３  係合部
Ａ１  第１の方向（左右方向）
Ａ２  第２の方向（前後方向）
【図１】
0005218799.tif 000002
【図２】
0005218799.tif 000003
【図３】
0005218799.tif 000004
【図４】
0005218799.tif 000005
【図５】
0005218799.tif 000006
【図６】
0005218799.tif 000007
【図７】
0005218799.tif 000008
【図８】
0005218799.tif 000009
【図９】
0005218799.tif 000010
【図１０】
0005218799.tif 000011